(57)【要約】【課題】全体の容積を小さく抑えることが可能であり、また、タンクカバー内の機器の配置自由度を高くすることができると共に、タンクカバー及びベースプレートの前半部を浮上可能とした洋風便器設備にも容易に適用することができる洋風便器設備を提供する。【解決手段】洋風便器１０の後部上面の給水受入口１３にフロート弁装置５０の下部５１ａが差し込まれている。ロータンク受け３０の底面の開口３１の周縁は、給水受入口１３の周縁よりも内方に位置する。ロータンク受け３０内において、ロータンク４０は、その底面と該ロータンク受け３０の底面との間に２〜３ｍｍ程度の厚さの空気層が形成されるように配置されている。ロータンク４０の外面に生じた結露水は開口３１から給水受入口１３内に滴下する如く流れ落ち、リム通水路１２を経て便鉢１１へ排出される。【選択図】図１
2005098038.tif 000002
【特許請求の範囲】
【請求項１】
洋風便器と、該洋風便器の後部上面に設置されたロータンク受け及びロータンクとを有した洋風便器設備であって、
該洋風便器の後部上面に給水受入口が設けられ、該ロータンク底部に水の流出部が設けられ、
該ロータンク受けの底面に該流出部の挿通用の開口が設けられ、
該流出部が該開口を通って該給水受入口に入り込んでいる洋風便器設備において、
該ロータンク受けの底面上の水を該給水受入口内に導く排水手段を設けたことを特徴とする洋風便器設備。
【請求項２】
請求項１において、該排水手段は、前記ロータンクの底面とロータンク受けの底面との間に形成された間隙であることを特徴とする洋風便器設備。
【請求項３】
洋風便器と、該洋風便器の後部上面に設置されたロータンクとを有し、該ロータンクは外面が防露材で被装されている洋風便器設備であって、
該洋風便器の後部上面に給水受入口が設けられ、該ロータンク底部に水の流出部が設けられ、
該流出部が該給水受入口に入り込んでいる洋風便器設備において、
該防露材の底面の外面に発生した結露水を該給水受入口内に導く排水手段を設けたことを特徴とする洋風便器設備。
【請求項４】
請求項３において、該排水手段は、該流出部周囲の防露材周縁の下方に存在する空間部であることを特徴とする洋風便器設備。
【発明の詳細な説明】
【技術分野】
【０００１】
本発明は、洋風便器及びロータンクを有する洋風便器設備に係り、特にロータンク外面の結露水の排水手段を有する洋風便器設備に関する。
【背景技術】
【０００２】
洋風便器の後部上面に設置されたロータンクの外面に結露水が生じることがある。特開２００２−８８８５９号公報には、第３，４図の通り、この結露水をロータンク受けにより便鉢内に流し込む構成が記載されている。なお、第３図はタンクカバー付き洋風便器設備の斜視図、第４図はタンクカバーを取り外した斜視図である。
【０００３】
第４図の通り、洋風便器１の後部上面にベースプレート２が設置され、このベースプレート２と一体にロータンク受け部３が形成されている。このロータンク受け部３の上にロータンク４が設置され、ロータンク４を覆うようにタンクカバー５が上方から被装されている。このタンクカバー５に便座６及び便蓋７が上下方向回動可能に取り付けられている。
【０００４】
このロータンク４の外面に結露水が発生すると、この結露水はロータンク受け部３に伝わり落ちてくる。ベースプレート２には、ロータンク受け部３に落ちてきた結露水を便鉢９に導く樋状の水路８が一体に設けられている。
【０００５】
ロータンクの外面を発泡合成樹脂等よりなる防露材で被覆することにより、該ロータンクの外面に結露が生じることを防止するようにした洋風便器設備も公知である。この防露材は、ロータンクの上面又は側面から底面にかけて連続して設けられる。
【０００６】
また、ロータンクの周囲を容器状のロータンク受けによってすっぽりと取り囲み、このロータンク受けの内面とロータンクの外面との間に空気層を形成することにより、ロータンクを断熱するようにしたものもある。この空気層も、ロータンクの上面又は側面から底面にかけて連続して形成される。
【特許文献１】特開２００２−８８８５９号公報
【発明の開示】
【発明が解決しようとする課題】
【０００７】
上記特開２００２−８８８５９号公報の洋風便器設備では、ベースプレート２に設けられた水路８が他の機器、例えば人体臀部の温水洗浄ノズルや便鉢脱臭ファン等の機器設置スペースに制約を加えることになり、機器配置自由度が低い。
【０００８】
また、近年、洋風便器の便鉢の後方上面部分を容易かつ入念に清掃できるようにするために、タンクカバー及びベースプレートの前半部を浮上可能とした洋風便器設備が市販されるようになってきているが、第３，４図のように水路８を有するベースプレート２の場合、前半部を浮上可能に構成することが難しい。
【０００９】
ロータンクの外面に沿って発泡合成樹脂等よりなる防露材を設ける場合、十分に結露を防止するために、通常、１０ｍｍ以上の厚さを有する防露材が設けられる。このため、ロータンクを設置するために比較的大きなスペースが必要となり、洋風便器設備が大型化し易い。
【００１０】
また、ロータンクの周囲に空気層を設ける場合にも、十分にロータンクを断熱するために、通常、空気層は、厚さ（ロータンクの外面とロータンク受けの内面との間隔）１０ｍｍ以上のものとされる。このため、ロータンクの外面に沿って防露材を設ける場合と同様に、ロータンクを設置するために比較的大きなスペースが必要となり、洋風便器設備が大型化し易い。
【００１１】
本発明は、ロータンクの外面に沿って設けられる防露材や空気層の厚さを小さくすることができ、これにより、全体の容積を小さく抑えることができる洋風便器設備を提供することを目的とする。
【００１２】
また、本発明は、タンクカバー内の機器の配置自由度を高くすることができると共に、タンクカバー及びベースプレートの前半部を浮上可能とした洋風便器設備にも容易に適用することができる洋風便器設備を提供することを目的とする。
【課題を解決するための手段】
【００１３】
本発明（請求項１）の洋風便器設備は、洋風便器と、該洋風便器の後部上面に設置されたロータンク受け及びロータンクとを有した洋風便器設備であって、該洋風便器の後部上面に給水受入口が設けられ、該ロータンク底部に水の流出部が設けられ、該ロータンク受けの底面に該流出部の挿通用の開口が設けられ、該流出部が該開口を通って該給水受入口に入り込んでいる洋風便器設備において、該ロータンク受けの底面上の水を該給水受入口内に導く排水手段を設けたことを特徴とするものである。
【００１４】
かかる洋風便器設備によると、ロータンク受け上の水が洋風便器の給水受入口内に排出されるため、ベースプレート上に排水路を便鉢まで延設することが不要となる。
【００１５】
請求項１の洋風便器設備にあっては、ロータンクとロータンク受けとの間の空気層（断熱層）の厚さを小さくすることができる。即ち、ロータンクとロータンク受けとの間の空気層の厚さを小さくすると、ロータンク受けの外面に結露水が発生する可能性があるが、請求項１の洋風便器設備にあっては、この結露水は、洋風便器の給水受入口内に排出される。また、このようにロータンクとロータンク受けとの間の空気層の厚さを小さくすることにより、ロータンクを設置するためのスペースが小さくても足りるようになり、洋風便器設備の全体の容積を小さく抑えることができる。
【００１６】
この洋風便器設備の一態様においては、該排水手段は、前記ロータンクの底面とロータンク受けの底面との間に形成された間隙である。
【００１７】
本発明（請求項３）の洋風便器設備は、洋風便器と、該洋風便器の後部上面に設置されたロータンクとを有し、該ロータンクは外面が防露材で被装されている洋風便器設備であって、該洋風便器の後部上面に給水受入口が設けられ、該ロータンク底部に水の流出部が設けられ、該流出部が該給水受入口に入り込んでいる洋風便器設備において、該防露材の底面の外面に発生した結露水を該給水受入口内に導く排水手段を設けたことを特徴とするものである。
【００１８】
この洋風便器設備によっても、防露材外面に生じた結露水は給水受入口内に排出されるため、ベースプレート上に排水路を便鉢まで延設することが不要となる。
【００１９】
請求項３の洋風便器設備にあっては、ロータンクの外面に沿って設けられる防露材の底面部分の厚さを小さくすることができる。即ち、防露材の底面部分の厚さを小さくすると、この防露材の底面の外面に結露水が発生する可能性があるが、請求項３の洋風便器設備にあっては、この結露水は、洋風便器の給水受入口内に排出される。また、このように防露材の底面部分の厚さを小さくすることにより、ロータンクを設置するためのスペースが小さくても足りるようになり、洋風便器設備の全体の容積を小さく抑えることができる。
【００２０】
この洋風便器設備の一態様においては、該排水手段は、該流出部周囲の防露材周縁の下方に存在する空間部である。
【００２１】
なお、本発明では、上記の通りベースプレートに排水路を設けることが不要であるため、ベースプレートの前半部をタンクカバー前半部と共に浮上可能に構成することが容易である。
【発明の効果】
【００２２】
本発明によると、洋風便器設備の全体の容積を小さく抑えることができる。また、本発明の洋風便器設備にあっては、タンクカバー内の機器の配置自由度を高くすることができると共に、タンクカバー及びベースプレートの前半部を浮上可能とした洋風便器設備にも容易に適用することができる。
【発明を実施するための最良の形態】
【００２３】
以下、図面を参照して実施の形態について説明する。第１図は実施の形態に係る洋風便器設備を示す洋風便器の後部上面付近の縦断面図である。
【００２４】
陶器製の洋風便器１０は、前部に便鉢１１を備え、この便鉢１１の上縁に沿ってリム通水路１２が設けられている。洋風便器１０の後部上面に給水受入口１３が設けられており、この給水受入口１３とリム通水路１２とは洋風便器１０に設けられた給水路（図示略）を介して連通している。この給水路にはディストリビュータと称される合成樹脂製のチューブ状部材が引き通されてもよい。
【００２５】
この洋風便器１０の後部上面にベースプレート２０が設置されており、このベースプレート２０の開口２１が該給水受入口１３と略同軸的に配置されている。ベースプレート２０に対しタンクカバー２２が上方から係合される。このタンクカバー２２には、便座及び便蓋（第１，２図では図示略）を回動可能に取り付けるためのヒンジ孔２３が設けられている。タンクカバー２２の前部下縁には、ベースプレート２０の前縁との間に、温水洗浄ノズルを臨ませるための開放部２４が設けられている。
【００２６】
このベースプレート２０上にロータンク受け３０が設置されている。このロータンク受け３０は、上面部が開放した容器状（皿状でもよい。）の部材であり、その底面には開口３１が設けられている。この開口３１は前記開口２１と略同軸的に配置されている。このロータンク受け３０内にロータンク４０が設置されている。このロータンク受け３０内において、ロータンク４０は、その側面と該ロータンク受け３０の側面との間に１０ｍｍ以上の厚さの空気層（間隙）が形成され、且つその底面と該ロータンク受け３０の底面との間（両者の開口４１，３１の周縁部同士の間）に２〜３ｍｍ程度の厚さの空気層が形成されるように、該ロータンク受け３０の内面から離隔配置されている。このロータンク４０の底面の開口４１は前記開口３１と略同軸的に配置されている。
【００２７】
この開口４１にフロート弁装置５０が取り付けられている。このフロート弁装置５０は、略々筒形状の本体部５１を備えており、この本体部５１はその筒軸心方向を上下方向にして下部５１ａが開口４１に挿通されている。この本体部５１にはフランジ５１ｂが周設されており、このフランジ５１ｂとロータンク４０の開口４１の周縁との間に環状のパッキン５６が介在されている。
【００２８】
本体部５１の該フランジ５１ｂよりも下位の外周面には雄ネジが設けられており、この雄ネジに対し下方からナット５２が締め込まれている。このナット５２とフランジ５１ｂとの間で上位パッキン５６を介して開口４１の縁部が狭持されることにより、フロート弁装置５０がロータンク４０に固定される。
【００２９】
この本体部５１の上部には弁シート５３が設けられており、この弁シート５３にフロート弁５４が着座している。このフロート弁５４は、図示は省略するが、チェーンを介してフラッシュハンドルレバーによって引き上げられるよう構成されている。
【００３０】
本体部５１からはオーバーフロー管５５が上方に延設されている。
【００３１】
図示の通り、ベースプレート２０の開口２１は給水受入口１３よりも若干小径であり、該開口２１の周縁は給水受入口１３の内周縁よりも内方に位置している。ロータンク受け３０の開口３１は、該開口２１よりも若干小径であり、開口３１の内周縁は開口２１の内周縁よりも内方に位置している。この実施の形態では、開口３１の周縁は、内方に向って下り勾配のテーパ状となっている。開口４１は開口３１よりも小径である。
【００３２】
この実施の形態では、フロート弁装置５０の本体部５１の下部５１ａがロータンク水の流出部となっている。図示の通り、この流出部としての本体下部５１ａは、開口３１，２１を通って給水受入口１３内に差し込まれている。
【００３３】
なお、ベースプレート２０、タンクカバー２２、ロータンク受け３０及びロータンク４０はいずれも合成樹脂製である。
【００３４】
このように構成された洋風便器設備においては、上記のフラッシュハンドルレバーを回すことにより、フロート弁５４が引き上げられ、ロータンク４０内の水がフロート弁装置５０の本体下部５１ａから流出し、リム通水路１２から便鉢１１へ放出される。フロート弁５４が弁シート部５３に着座することによりロータンク水放出が停止する。ロータンク水放出に伴ってロータンク内の水位が低下すると、ロータンク４０に設けられたボールタップ（図示略）が開栓し、水道水などがロータンク４０に補充供給される。
【００３５】
この新たに流入する水道水等の水温が低かったり、あるいは大気湿度が高かったりすると、ロータンク４０の外面に結露が生じる。
【００３６】
この実施の形態では、この結露水は開口３１から給水受入口１３内に滴下する如く流れ落ち、リム通水路１２を経て便鉢１１へ排出される。
【００３７】
なお、この実施の形態では、ロータンク４０の底面とロータンク受け３０の底面との間の空気層の厚さが２〜３ｍｍ程度の小さなものとなっているため、このロータンク受け３０の底面の外面にも結露水が発生する可能性があるが、この結露水も給水受入口１３内に流れ落ちる。従って、ロータンク受け３０の底面の外面に結露水が発生した場合でも、この結露水がベースプレート２０やトイレルームの床面上に流れ出すことはない。
【００３８】
この洋風便器設備にあっては、従来の洋風便器設備と比べて、このようにロータンク４０の底面とロータンク受け３０の底面との間の空気層の厚さが小さいので、ロータンクを設置するためのスペースがこの分だけ小さくても足りる。このため、洋風便器設備の全体の容積を小さく抑えることが可能である。
【００３９】
この実施の形態では、ベースプレート２０に結露水の排水路が設けられていないので、温水洗浄ノズル、温水タンク、脱臭ファン等の機器の配置自由度が高い。また、ベースプレート２０及びタンクカバー２２を前半体と後半体とに分割し、前半体を浮上可能に構成することも可能である。
【００４０】
第２図は別の実施の形態に係る洋風便器設備を示す第１図と同様部分の縦断面図である。
【００４１】
この実施の形態では、ベースプレート２０Ａ上にロータンク受けなしにロータンク６０が設置されている。このロータンク６０の底面の開口６１にフロート弁装置５０が取り付けられている。このフロート弁装置５０の構成は第１図と同様であり、その本体下部５１ａはベースプレート２０の開口２１を通って給水受入口１３内に差し込まれている。
【００４２】
このロータンク６０の外面には発泡合成樹脂等よりなる防露材６２が設けられている。この防露材６２は、ロータンク６０の側面から底面にかけて連続して設けられている。ロータンク６０の底面にあっては、この防露材６２は、フロート弁装置５０の周囲を取り囲むように設けられている。即ち、防露材６２には、ロータンク６０の底面において略円形にくり抜かれた形状の開放口６３が形成されている。この開放口６３の内周縁は、給水受入口１３の内周縁よりも内方に位置している。
【００４３】
この防露材６２の厚さは、ロータンク６０の側面に沿う部分においては１０ｍｍ以上となっており、ロータンク６０の底面に沿う部分（底部）においては、４〜５ｍｍ程度となっている。
【００４４】
なお、この防露材の開放口６３の内周縁は、開口２１の内周縁よりも内方に位置することが好ましいが、ベースプレート２０Ａの開口２１の周縁部が内方に向って下り勾配となっている場合には、開放口６３の内周縁よりも内方に開口２１の内周縁が存在しても構わない。
【００４５】
この実施の形態では、防露材６２の底部の厚さが４〜５ｍｍ程度の小さなものとなっているため、この防露材６２の底部の外面に結露水が発生する可能性があるが、この結露水は給水受入口１３内に流れ落ちる。このため、防露材６２の底部の外面に結露水が発生した場合でも、この結露水がベースプレート２０やトイレルームの床面上に流れ出すことはない。
【００４６】
この洋風便器設備にあっては、従来の洋風便器設備と比べて、このように防露材６２の底部の厚さが小さいので、ロータンクを設置するためのスペースがこの分だけ小さくても足りる。このため、洋風便器設備の全体の容積を小さく抑えることが可能である。
【００４７】
この実施の形態においても、ベースプレート２０Ａに結露水の排水路が設けられていないので、温水洗浄ノズル、温水タンク、脱臭ファン等の機器の配置自由度が高い。また、ベースプレート２０及びタンクカバー２２を前半体と後半体とに分割し、前半体を浮上可能に構成することも可能である。
【００４８】
上記実施の形態はいずれも本発明の一例であり、本発明は図示以外の形態をもとりうる。例えば、上記実施の形態では結露水は便鉢１１へリム通水路１２を介して流出するよう構成されているが、サイホンゼット式の便器の場合はゼット水路を介して便鉢底部のトラップ部へ結露水が流出してもよい。
【図面の簡単な説明】
【００４９】
【図１】実施の形態に係る洋風便器設備を示す洋風便器の後部上面付近の縦断面図である。
【図２】別の実施の形態を示す縦断面図である。
【図３】従来の洋風便器設備の斜視図である。
【図４】図３の洋風便器設備のタンクカバーを取り外した状態の斜視図である。
【符号の説明】
【００５０】
１０  洋風便器
１１  便鉢
１２  リム通水路
１３  給水受入口
２０，２０Ａ  ベースプレート
２１  開口
３０  ロータンク受け
３１  開口
４０，６０  ロータンク
５０  フロート弁装置
６２  防露材
【図１】
2005098038.tif 000003
【図２】
2005098038.tif 000004
【図３】
2005098038.tif 000005
【図４】
2005098038.tif 000006